(57)【特許請求の範囲】
【請求項１】
上枠、下枠、および左右の縦枠を有する窓枠と、上框、下框、左右の縦框、および面材を有して前記窓枠内に支持される少なくとも１枚の障子とを備え、
前記障子は、前記窓枠に対して当該障子下端部を中心として上端部が室内側に回動可能に構成され、前記障子の上端部には、前記縦枠に係合して当該障子の回動を規制するとともに、当該縦枠との係合を解除可能なラッチ装置が設けられており、
前記ラッチ装置は、前記障子に固定されるベース部材と、このベース部材に突没自在に支持されて突出した位置で前記縦枠に係合可能な突没部材と、この突没部材を没入操作可能に設けられた操作部材と、前記ベース部材に対して突出する方向に前記突没部材を付勢する付勢部材とを有して構成され、
前記突没部材と前記操作部材とは、前記付勢部材と見込み方向に隣り合って設けられた連結部によって連結され、当該連結部は、前記操作部材に一体的にかつ下方に延びて互いに対向する一対で形成されるとともに、これら一対の連結部が前記付勢部材を挟んで対向配置され、
前記ベース部材は、下方に凹んで形成されて前記操作部材を突没方向に案内する案内溝部と、この案内溝部の底面に形成されて前記一対の連結部を各々挿通させる一対の挿通孔とを有して構成され、
前記突没部材には、突没方向没入側側面に開口した凹溝部が形成され、この凹溝部に前記付勢部材が配設されるとともに、この付勢部材の一端が当該凹溝部の底部に当接され、前記凹溝部を形成する両側片に前記一対の連結部が各々接続されている建具。
【請求項２】
前記ラッチ装置のベース部材は、前記縦框と略同一の見付け寸法で形成されているか、または前記縦框よりも小さな見付け寸法で形成されている請求項１に記載の建具。
【請求項３】
前記ラッチ装置の連結部は、弾性変形可能に形成され、
前記突没部材には、前記連結部に連結する連結受部が形成され、
前記連結部が前記連結受部にスナップ式に係合することで前記操作部材と前記突没部材とが連結される請求項１または請求項２に記載の建具。
【発明の詳細な説明】
【技術分野】
【０００１】
本発明は、建具に関し、詳しくは、窓枠と、この窓枠内に支持された障子とを備え、この障子が室内側に回動可能に構成された建具に関する。
【背景技術】
【０００２】
住宅等の外壁開口部に設けられる建具（サッシ窓）として、上下一対の障子を備えた上げ下げ窓があり、このような上げ下げ窓において、上下の障子の室外面を室内側から清掃できるようにするために、障子を室内側に回動（内倒し）可能に構成したものが知られている（例えば、特許文献１参照）。
すなわち、障子は、窓枠の縦枠に沿って上下スライド開閉可能に構成されるとともに、その下端部に設けられた回動軸を中心にして上部が内倒し可能に構成されており、この障子の上端コーナー部には、上下スライド時において縦枠に係合して案内され、内倒しの際に係合を外すことができるガイド体（ラッチ機構）が設けられている。このガイド体は、障子に固定される本体と、この本体から突出して縦枠に係合する係合体と、この係合体を突出方向に付勢するばねとを有して構成されている。そして、ガイド体では、係合体に連結されて障子の室内側側面に設けられたつまみを操作し、ばねの付勢力に抗して係合体を本体内部に没入させることで、縦枠との係合を解除して障子が内倒しできるようになっている。
【０００３】
【特許文献１】実用新案登録第２５９８７７１号公報
【発明の開示】
【発明が解決しようとする課題】
【０００４】
しかしながら、特許文献１に記載されたような従来のラッチ機構では、突没自在な係合体の没入方向内端（係合する縦枠と反対側端部）にばねが接続されている、すなわち係合体の突没方向に沿って係合体とばねとが直列に並べて配置されているため、ラッチ機構本体の水平見付け寸法が障子の縦框の見付け寸法よりも大きくなってしまい、意匠性が劣るという問題がある。
【０００５】
本発明の目的は、意匠性を高めることが可能な建具を提供することにある。
【課題を解決するための手段】
【０００６】
本発明の建具は、上枠、下枠、および左右の縦枠を有する窓枠と、上框、下框、左右の縦框、および面材を有して前記窓枠内に支持される少なくとも１枚の障子とを備え、前記障子は、前記窓枠に対して当該障子下端部を中心として上端部が室内側に回動可能に構成され、前記障子の上端部には、前記縦枠に係合して当該障子の回動を規制するとともに、当該縦枠との係合を解除可能なラッチ装置が設けられており、前記ラッチ装置は、前記障子に固定されるベース部材と、このベース部材に突没自在に支持されて突出した位置で前記縦枠に係合可能な突没部材と、この突没部材を没入操作可能に設けられた操作部材と、前記ベース部材に対して突出する方向に前記突没部材を付勢する付勢部材とを有して構成され、前記突没部材と前記操作部材とは、前記付勢部材と見込み方向に隣り合って設けられた連結部によって連結され、当該連結部は、前記操作部材に一体的にかつ下方に延びて互いに対向する一対で形成されるとともに、これら一対の連結部が前記付勢部材を挟んで対向配置され、前記ベース部材は、下方に凹んで形成されて前記操作部材を突没方向に案内する案内溝部と、この案内溝部の底面に形成されて前記一対の連結部を各々挿通させる一対の挿通孔とを有して構成され、前記突没部材には、突没方向没入側側面に開口した凹溝部が形成され、この凹溝部に前記付勢部材が配設されるとともに、この付勢部材の一端が当該凹溝部の底部に当接され、前記凹溝部を形成する両側片に前記一対の連結部が各々接続されていることを特徴とする。
【０００８】
以上の本発明によれば、突没部材と操作部材とを連結する連結部と付勢部材とを、見込み方向において並列に配置した（隣り合って設けた）ことで、従来のように突没部材と付勢部材とを突没部材の突没方向において直列に配置する場合と比較して、ベース部材の水平見付け寸法を小さく形成することができる。従って、ベース部材の水平見付け寸法を縦框の見付け寸法と同程度あるいは縦框の見付け寸法よりも小さくすることができ、障子の外観意匠性を向上させることができる。
【０００９】
この際、本発明の建具では、前記ラッチ装置の突没部材には、突没方向没入側側面に開口した凹溝部が形成され、この凹溝部に前記付勢部材が配設されるとともに、この付勢部材の一端が当該凹溝部の底部に当接され、前記凹溝部を形成する両側片のうちの少なくとも一方に前記連結部が接続されている。
このような構成によれば、突没部材に形成した凹溝部内に付勢部材を配設することで、突没方向の長さ寸法に併せてラッチ装置の厚さ寸法も小さくすることができる。
【００１０】
さらに、本発明の建具では、前記ラッチ装置の連結部は、前記操作部材に一体的にかつ下方に延びて互いに対向する一対で形成され、これら一対の連結部が前記付勢部材を挟んで対向配置されている。
このような構成によれば、突没部材と操作部材との連結部を一対で構成し、これら一対の連結部の間に付勢部材を配置することで、連結部間の幅寸法を大きくして突没部材と操作部材との連結強度を高めることができる。また、付勢部材の付勢力に抗して操作部材を没入操作する際に、付勢部材を間に挟んで並列した一対の連結部に応力が生じることから、操作部材を操作して突没部材をベース部材内に没入させる際の偏心モーメントを小さくする、あるいは偏心モーメントをなくして円滑に突没部材を没入操作することができ、ラッチ装置の操作性を良好にすることができる。
【００１１】
さらに、本発明の建具では、前記ラッチ装置のベース部材は、前記縦框と略同一の見付け寸法で形成されているか、または前記縦框よりも小さな見付け寸法で形成されていることが好ましい。
このような構成によれば、ベース部材の水平見付け寸法を縦框と略同一か縦框よりも小さく形成することで、障子の外観意匠性を向上させることができる。
【００１２】
また、本発明の建具では、前記ラッチ装置の連結部は、弾性変形可能に形成され、前記突没部材には、前記連結部に連結する連結受部が形成され、前記連結部が前記連結受部にスナップ式に係合することで前記操作部材と前記突没部材とが連結されることが好ましい。
このような構成によれば、操作部材に一体的に形成（一体成形）することで連結部を容易に設けることができるとともに、この連結部を突没部材に形成された連結受部にスナップ式に係合するだけで操作部材と突没部材を容易に連結することができる。
【発明を実施するための最良の形態】
【００１３】
以下、本発明の実施形態を図面に基づいて説明する。
図１は、本発明の実施形態に係る建具である上げ下げ窓１を示す縦断面図である。図２および図３は、それぞれ上げ下げ窓１を示す横断面図であって、図２は、図１に矢視II−II線で示す上部障子位置における横断面図であり、図３は、図１に矢視III−III線で示す下部障子位置における横断面図である。図４は、上げ下げ窓１の一部を省略して室内側から見た斜視図である。
図１〜図４において、上げ下げ窓１は、戸建て住宅等の建物の外壁開口部に設けられて建物の室内空間と室外空間とを仕切る建具であって、上枠１１、下枠１２、および左右の縦枠１３を四周枠組みした窓枠１０と、この窓枠１０の内側に支持された上部障子２０および下部障子３０と、これらの室外側に開閉自在に支持された網戸４０とを備えて構成されている。
【００１４】
上げ下げ窓１の上部障子２０および下部障子３０は、それぞれ上框２１，３１、下框２２，３２、および左右の縦框２３，３３を四周框組みした内部に、ガラスパネル（複層ガラス）２４，３４を嵌め込んで構成されている。上部障子２０は、窓枠１０の上枠１１および縦枠１３に位置決めされて固定され、下部障子３０よりも室外側に設けられている。下部障子３０は、窓枠１０の縦枠１３に案内され、上部障子２０の室内側に沿って上下スライド開閉可能に支持されている。これらの上部障子２０の下框（外召合せ框）２２と下部障子３０の上框（内召合せ框）３１とが見込み方向に重なって上げ下げ窓１が閉じられるようになっている。そして、下部障子３０の上框３１にはクレセント錠３５が設けられ、上部障子２０の下框２２には錠受け２５が設けられており、上部障子２０および下部障子３０を閉じた状態でクレセント錠３５を錠受け２５に係合させることで、上げ下げ窓１が施錠されるようになっている。
【００１５】
下部障子３０は、その下端部である下框３２および縦框３３下端に連結されたスライド部材（スライドシュー）３６と、左右の縦框３３の上端部に設けられたラッチ装置５０（後述）の突没部材５２とが縦枠１３に案内されることで上下スライド可能に構成されている。スライド部材３６は、縦枠１３の室内側見付け片１３１と中間部見付け片１３２とで囲まれた内部に挿入され、図示しないバランサにワイヤを介して連結されている。そして、スライド部材３６と下部障子３０下端部とは、水平方向に延びる回動軸を有した回動機構３７で連結されており、この回動機構３７を中心として下部障子３０は、図１に二点鎖線で示すように、室内側に回動（内倒し）可能に構成されている。このように下部障子３０を内倒しすることで、その室外面を室内空間から清掃することができるようになっている。また、下部障子３０の縦框３３と縦枠１３とは、内倒し時において必要以上に倒れすぎないように下部障子３０を支持するアーム３８によって連結されている。
【００１６】
次に、図５〜図８も参照してラッチ装置５０について説明する。
図５(Ａ)，(Ｂ)は、上げ下げ窓１の下部障子３０に設けられるラッチ装置５０を示す側面図および断面図である。図６(Ａ)〜(Ｃ)、図７(Ａ)〜(Ｃ)、および図８(Ａ)〜(Ｃ)は、それぞれラッチ装置５０を構成するベース部材５１、突没部材５２、および操作部材５３を示す三面図である。
ラッチ装置５０は、左右の縦框３３に固定されるベース部材５１と、このベース部材５１に突没自在に支持されて縦框３３の見付け方向外側（縦枠１３側）に突没自在な突没部材５２と、この突没部材５２を没入操作可能に室内空間に露出して設けられた操作部材５３と、ベース部材５１に対して突出する方向に突没部材５２を付勢する付勢部材としてのコイルばね５４とを有して構成されている。
【００１７】
ベース部材５１は、樹脂製一体成形品であって、縦框３３の上端部開口に挿入されるとともに、上框３１の上面部に係止されて下部障子３０の上部左右両端に固定されている。このベース部材５１は、上に凸の円弧状に形成された上面部５１１と、この上面部５１１から下方に凹んで形成されて操作部材５３を案内する案内溝部５１２と、この案内溝部５１２の下方に角筒状に形成されて突没部材５２を案内する案内孔部５１３と、上面部５１１の左右両端下側に形成されて縦框３３の上端縁に位置決めされる底面部５１４とを有して構成されている。さらに、ベース部材５１の案内孔部５１３は、縦框３３の見付け方向外方（縦枠１３側）に開口して形成されており、この案内孔部５１３の開口と反対側のベース部材５１後方（上框３１側）には、上框３１の中空内部に挿入されて上框３１の上面部に係止される挿入突起部５１５が形成されている。また、案内溝部５１２の底面には、後述する操作部材５３の２つの連結部５３２を挿通させる２つの挿通孔５１６が設けられ、案内孔部５１３の内部後方（上框３１側）には、コイルばね５４の他端を位置決めする突片５１７が設けられている。
【００１８】
突没部材５２は、樹脂製一体成形品であって、ベース部材５１の案内孔部５１３に挿入されて案内され、縦框３３の見付け方向外方（縦枠１３側）および内方（上框３１側）に突没自在に支持されている。この突没部材５２は、ベース部材５１の案内孔部５１３から突出して縦枠１３の室内側見付け片１３１に係合可能な係合部５２１と、この係合部５２１の室外側に形成された傾斜面部５２２と、係合部５２１および傾斜面部５２２の突没方向（図７に矢印で示す方向）没入側（上框３１側）に形成された凹溝部５２３と、後述する操作部材５３の２つの連結部５３２とスナップイン式に係合する２つの係合孔５２４（連結受部）とを有して構成されている。突没部材５２の凹溝部５２３は、突没方向に沿って延びるとともに、突没方向没入側（上框３１側）端面に開口して形成され、この凹溝部５２３にコイルばね５４が配設されるようになっている。そして、凹溝部５２３の底部には、コイルばね５４の一端を係止する突起５２５が形成されており、他端がベース部材５１の突片５１７に位置決めされたコイルばね５４によって凹溝部５２３の底部が押圧されることで、突没部材５２が縦框３３の見付け方向外側（縦枠１３側）に向かって付勢されるようになっている。
【００１９】
操作部材５３は、樹脂製一体成形品であって、ベース部材５１の案内溝部５１２に案内される操作本体部５３１と、この操作本体部５３１から下方に延びて互いに対向した弾性変形可能な一対（２つ）の連結部５３２とを有して形成されている。操作本体部５３１の上面は、ベース部材５１の上面部５１１に連続するように凸の円弧状に形成されるとともに、曲面状の凹みを有して形成されている。そして、この凹みの一端縁を構成する側壁部５３３に指を引っ掛けることで、操作部材５３が没入方向（図８の右側）にスライド操作できるようになっている。また、一対の連結部５３２は、ベース部材５１の挿通孔５１６に挿通されるとともに、弾性変形しながら突没部材５２の係合孔５２４にスナップイン式に係合され、これにより操作部材５３と突没部材５２とが一体的に連結されている。このように操作部材５３と突没部材５２とを連結した状態において、操作部材５３の連結部５３２と、突没部材５２の凹溝部５２３に配設されたコイルばね５４とは、突没方向に直交する方向に隣り合って位置する（隣設される）ようになっているとともに、一対の連結部５３２の間にコイルばね５４が位置するようになっている。
【００２０】
以上のようなラッチ装置５０では、図５に示すように、操作部材５３を没入方向へスライド操作することによって、コイルばね５４の付勢力に抗して突没部材５２がベース部材５１内に没入し、突没部材５２の係合部５２１と縦枠１３の室内側見付け片１３１との係合が外れるように構成されている。そして、縦枠１３との係合が外れた下部障子３０は、スライド部材３６の回動機構３７を中心に上框３１側を室内側に回動して、内倒しできるように構成されている。一方、内倒しされた下部障子３０の上框３１側を室外側に押し上げれば、ラッチ装置５０における突没部材５２の傾斜面部５２２が縦枠１３の室内側見付け片１３１に摺接して押圧され、コイルばね５４の付勢力に抗して突没部材５２がベース部材５１内に没入することになる。さらに、下部障子３０を室外側に押すことで、室内側見付け片１３１を係合部５２１が越えて突没部材５２が突出し、室内側見付け片１３１に係合部５２１が係合して下部障子３０が回動不能かつ上下スライド可能に支持されるようになっている。
【００２１】
このような本実施形態によれば、以下のような効果がある。
（１）すなわち、操作部材５３から延びて突没部材５２に連結される連結部５３２ならびに係合孔５２４と、コイルばね３４とが突没方向において並列に配置されているので、これらを直列に配置する場合と比較して、ベース部材５１の水平見付け寸法を小さく形成することができる。従って、ベース部材５１の水平見付け寸法を縦框３３の見付け寸法と同程度あるいは縦框の見付け寸法よりも小さくして、外観上、ラッチ装置５０が上框３１側に被らないようにすることができ、下部障子３０および上げ下げ窓１の意匠性を良好にすることができる。
【００２２】
（２）さらに、ベース部材５１の水平見付け寸法が縦框３３の見付け寸法程度に設定されているので、ベース部材５１を縦框３３の上端に挿入し、挿入突起部５１５を上框３１の上面部に係止させるだけでラッチ装置５０を下部障子３０に取り付けることができる。
【００２３】
（３）そして、突没部材５２に形成した凹溝部５２３内にコイルばね５４が配設されているので、突没方向の長さ寸法に併せてラッチ装置５０の厚さ寸法も小さくすることができる。
【００２４】
（４）さらに、操作部材５３の連結部５３２が一対で構成され、これら一対の連結部５３２が突没部材５２の凹溝部５２３の両側片部分に係合されていることで、連結部５３２間の幅寸法を大きくして突没部材５２と操作部材５３との連結強度を高めることができる。また、コイルばね３４の付勢力に抗して操作部材５３を没入操作する際に、コイルばね３４を間に挟んで並列した一対の連結部５３２に応力が生じることから、操作部材５３を操作して突没部材５２をベース部材５１内に没入させる際の偏心モーメントを小さくする、あるいは偏心モーメントをなくして円滑に突没部材５２を没入操作することができ、ラッチ装置５０の操作性を良好にすることができる。
【００２５】
（５）さらに、操作本体部５３１の上面とベース部材５１の上面部５１１とが、ともに上に凸の円弧状に形成され、互いに連続するように設けられているので、ラッチ装置５０の外観意匠性を一層向上させることができる。
【００２６】
（６）さらに、連結部５３２が操作部材５３に弾性変形可能に一体成形されて設けられているので、連結部５３２を容易に設けることができるとともに、この連結部５３２を突没部材５２の係合孔５２４にスナップイン式に係合するだけで操作部材５３と突没部材５２を容易に連結することができる。
【００２７】
なお、本発明は、前記実施形態に限定されるものではなく、本発明の目的を達成できる他の構成等を含み、以下に示すような変形等も本発明に含まれる。
例えば、前記実施形態においては、上げ下げ窓１における下部障子３０の内倒し機構を構成するものとしてラッチ装置５０を用いたが、本発明のラッチ装置は、上げ下げ窓１に限らず、上下あるいは左右に回動開閉自在に支持された面材（障子）の回動を規制する装置として用いることができる。さらに、上げ下げ窓にラッチ装置５０を用いる場合であっても、上げ下げ窓としては上下二段の障子（上部障子２０および下部障子３０）を有して構成されていたものに限らず、３枚以上の障子を有して構成されていてもよい。
また、前記実施形態では、下部障子３０のみが上下にスライド開閉可能に構成されていたが、これに限らず、上部障子２０が上下スライド開閉可能に構成されていてもよく、また突出し形式や内倒し形式、開き形式、辷出し形式等で開閉されるものであってもよい。そして、上部障子を開閉可能に構成した場合には、上部障子にラッチ装置を取り付けるようにしてもよい。
また、前記実施形態では、左右縦框の端部側側面部分に上下横框の小口部分を連結することで障子を四周框組みしていたが、上下横框の端部側側面部分に左右縦框の小口部分を連結することで障子を四周框組みしてもよく、左右縦框、上下横框の端部を４５度切断してその切断された端面同士（斜面形状部分）をつき合わせて連結することで四周框組みしたものでもよい。
【００２８】
また、連結部５３２は一対（２つ）のものに限らず、３つ以上で構成されていてもよい。また、図９に、連結部５３２Ａが１つで構成された形態を参考例として示す。
【００２９】
すなわち、図９に示すラッチ装置５０Ａでは、操作部材５３Ａの下面に１つの連結部５３２Ａが延びて形成されており、この連結部５３２Ａは、ベース部材５１Ａの案内溝部５１２底面に形成された挿通孔５１６Ａに挿通されるとともに、突没部材５２Ａの凹溝部５２３の側方に形成された１つの係合孔５２４Ａ（連結受部）に係合され、これにより操作部材５３Ａと突没部材５２Ａとが一体的に連結されている。従って、操作部材５３Ａの連結部５３２Ａと、突没部材５２Ａの凹溝部５２３に配設されるコイルばね５４とは、突没部材５２Ａの突没方向に直交する方向に重なって隣り合って設けられる（隣設される）ようになっている。
【００３０】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３１】
【図１】本発明の実施形態に係る建具を示す縦断面図である。
【図２】前記建具を示す横断面図であり、上部障子位置での横断面図である。
【図３】前記建具を示す横断面図であり、下部障子位置での横断面図である。
【図４】前記建具の一部を省略して室内側から見た斜視図である。
【図５】(Ａ)，(Ｂ)は、建具の下部障子に設けられるラッチ装置を示す側面図および断面図である。
【図６】(Ａ)〜(Ｃ)は、前記ラッチ装置を構成するベース部材を示す三面図である。
【図７】(Ａ)〜(Ｃ)は、前記ラッチ装置を構成する突没部材を示す三面図である。
【図８】(Ａ)〜(Ｃ)は、前記ラッチ装置を構成する操作部材を示す三面図である。
【図９】本発明の変形例に係るラッチ装置を分解して示す図である。
【符号の説明】
【００３２】
１０…窓枠、１１…上枠、１２…下枠、１３…縦枠、２０…上部障子、３０…下部障子、２１，３１…上框、２２，３２…下框、２３，３３…縦框、５０，５０Ａ…ラッチ装置、５１，５１Ａ…ベース部材、５２，５２Ａ…突没部材、５３，５３Ａ…操作部材、５４…付勢部材であるコイルばね、５２３…凹溝部、５２４，５２４Ａ…連結受部である係合孔、５３２，５３２Ａ…連結部。
【図１】
0004555763.tif 000002
【図２】
0004555763.tif 000003
【図３】
0004555763.tif 000004
【図４】
0004555763.tif 000005
【図５】
0004555763.tif 000006
【図６】
0004555763.tif 000007
【図７】
0004555763.tif 000008
【図８】
0004555763.tif 000009
【図９】
0004555763.tif 000010